【手続補正書】
【提出日】平成16年8月30日(2004.8.30)
【手続補正１】
【補正対象書類名】明細書
【補正対象項目名】発明の名称
【補正方法】変更
【補正の内容】
【発明の名称】記憶領域を設定するためのプログラムおよび記憶装置
【手続補正２】
【補正対象書類名】明細書
【補正対象項目名】特許請求の範囲
【補正方法】変更
【補正の内容】
【特許請求の範囲】
【請求項１】
複数のディスク装置と、前記複数のディスク装置に接続されるコントローラとを有する記憶装置に論理的な記憶領域を設定するためのプログラムであって、
該記憶装置に接続される管理端末から、論理的な記憶領域の設定条件を受信するステップと、
受信した設定条件に合う記憶領域が存在するか否かを判定するステップと、
受信した設定条件に合う記憶領域が存在する場合に、受信した設定条件に従って論理的な記憶領域を前記記憶装置に設定するステップと、
論理的な記憶領域の設定が完了した旨の完了報告を、前記管理端末に送信するステップとを、前記記憶装置に実行させるためのプログラム。
【請求項２】
請求項１記載のプログラムであって、
前記複数のディスク装置は少なくとも１のＲＡＩＤグループを構成しており、該ＲＡＩＤグループには、少なくとも１のストレージプールが設定されており、
前記プログラムは、
前記設定条件に合う記憶領域が、ストレージプール内に存在するか否かを判定するステップと、
ストレージプール内に前記設定条件に合う記憶領域が存在する場合に、該ストレージプール内に論理的な記憶領域を設定するステップとを、前記記憶装置に実行させることを特徴とするプログラム。
【請求項３】
請求項２記載のプログラムであって、
前記設定条件には、前記論理的な記憶領域の容量が含まれることを特徴とするプログラム。
【請求項４】
請求項２記載のプログラムであって、
前記設定条件には、ＲＡＩＤグループを識別するための識別情報が含まれていることを特徴とするプログラム。
【請求項５】
請求項２記載のプログラムであって、
前記記憶装置は、ストレージプールに含まれる記憶領域の属性情報を保持したプール領域管理情報を有しており、
前記プログラムは、
前記設定条件に合う記憶領域が、ストレージプール内に存在するか否かを、前記プール領域管理情報を参照して判定するステップを前記記憶装置に実行させることを特徴とするプログラム。
【請求項６】
請求項５記載のプログラムであって、
更に、前記論理的な記憶領域を設定した後、前記プール領域管理情報を更新するステップを、前記記憶装置に実行させることを特徴とするプログラム。
【請求項７】
請求項５記載のプログラムであって、更に
前記記憶装置が前記プール領域管理情報を前記管理端末に送信するステップと、
前記管理端末が、受信したプール領域管理情報に基づいて、ストレージプールに含まれるＲＡＩＤグループごとにポリシー名を設定するステップと、
前記管理端末が、ポリシー名を受け付けるステップと、
前記管理端末が、ポリシー名に対応するＲＡＩＤグループのプール領域管理情報に基づいて、前記設定条件を前記記憶装置に送信するステップとを実行するためのプログラム。
【請求項８】
複数のディスク装置と、前記複数のディスク装置に接続されるコントローラとを有する記憶装置に論理的な記憶領域を設定するためのプログラムであって、
前記複数のディスク装置は少なくとも１のＲＡＩＤグループを構成しており、該少なくとも１のＲＡＩＤグループには、少なくとも１のストレージプールが設定されており、
前記プログラムは、
ストレージプールに含まれる記憶領域の属性情報を前記記憶装置に接続される管理コンソールに送信するステップと、
前記属性情報に基づいて選択された、論理的な記憶領域の設定条件を受信するステップと、
受信した設定条件に合う記憶領域をストレージプールに設定するステップと、
前記管理コンソールに、論理的な記憶領域を設定した旨の完了報告を送信するステップとを、前記記憶装置に実行させることを特徴とするプログラム。
【請求項９】
請求項８記載のプログラムであって、
前記記憶装置は、ストレージプールに含まれている記憶領域の属性情報を保持したプール領域管理情報を有しており、
前記プログラムは、
前記属性情報に基づいて、ストレージプールに含まれる記憶領域の属性情報を前記管理コンソールに送信するステップを、前記記憶装置に実行させることを特徴とするプログラム。
【請求項１０】
請求項９記載のプログラムであって、
前記記憶装置には複数のストレージプールが設定されており、
前記記憶装置はストレージプールごとにプール領域管理情報を有しており、
前記プログラムは、
前記管理コンソールから該管理コンソールで実行されるプログラムの識別情報を受信するステップと、
受信した識別情報に対応するプール領域管理情報に基づいて、該プール領域管理情報に対応するストレージプールの属性情報を前記管理コンソールに送信するステップと、
前記管理コンソールから前記属性情報に基づいた設定情報を受信すると、受信した設定条件に基づいて前記ストレージプールに論理的な記憶領域を設定するステップとを、前記記憶装置に実行させることを特徴とするプログラム。
【請求項１１】
複数のディスク装置と、前記複数のディスク装置に接続されるコントローラとを有し、前記ディスク装置に対して論理的な記憶領域を設定するための記憶装置であって、
前記コントローラは、
該記憶装置に接続される管理端末から、論理的な記憶領域の設定条件を受信する手段と、
受信した設定条件に合う記憶領域が存在するか否かを判定する手段と、
受信した設定条件に合う記憶領域が存在する場合に、受信した設定条件に従って論理的な記憶領域を前記記憶装置に設定する手段と、
論理的な記憶領域の設定が完了した旨の完了報告を、前記管理端末に送信する手段とを有することを特徴とする記憶装置。
【請求項１２】
請求項１１記載の記憶装置であって、
前記複数のディスク装置は少なくとも１のＲＡＩＤグループを構成しており、該ＲＡＩＤグループには、少なくとも１のストレージプールが設定されており、
前記コントローラは、
前記設定条件に合う記憶領域が、ストレージプール内に存在するか否かを判定する手段と、
ストレージプール内に前記設定条件に合う記憶領域が存在する場合に、該ストレージプール内に論理的な記憶領域を設定する手段とを有することを特徴とする記憶装置。
【請求項１３】
請求項１２記載の記憶装置であって、
前記設定条件には、前記論理的な記憶領域の容量が含まれることを特徴とする記憶装置。
【請求項１４】
請求項１２記載の記憶装置であって、
前記設定条件には、ＲＡＩＤグループを識別するための識別情報が含まれていることを特徴とする記憶装置。
【請求項１５】
請求項１２記載の記憶装置であって、
前記記憶装置は、ストレージプールに含まれる記憶領域の属性情報を保持したプール領域管理情報を有しており、
前記コントローラは、更に
前記設定条件に合う記憶領域が、ストレージプール内に存在するか否かを、前記プール領域管理情報を参照して判定する手段を有することを特徴とする記憶装置。
【請求項１６】
請求項１５記載の記憶装置であって、
更に、前記論理的な記憶領域を設定した後、前記プール領域管理情報を更新する手段を有することを特徴とする記憶装置。
【請求項１７】
複数のディスク装置と、前記複数のディスク装置に接続されるコントローラとを有し、前記ディスク装置に対して論理的な記憶領域を設定するための記憶装置であって、
前記複数のディスク装置は少なくとも１のＲＡＩＤグループを構成しており、該少なくとも１のＲＡＩＤグループには、少なくとも１のストレージプールが設定されており、
前記コントローラは、
ストレージプールに含まれる記憶領域の属性情報を前記記憶装置に接続される管理コンソールに送信する手段と、
前記属性情報に基づいて選択された、論理的な記憶領域の設定条件を受信する手段と、
受信した設定条件に合う記憶領域をストレージプールに設定する手段と、
前記管理コンソールに、論理的な記憶領域を設定した旨の完了報告を送信する手段とを、有することを特徴とする記憶装置。
【請求項１８】
請求項１７記載の記憶装置であって、
前記記憶装置は、ストレージプールに含まれている記憶領域の属性情報を保持したプール領域管理情報を有しており、
前記コントローラは、
前記属性情報に基づいて、ストレージプールに含まれる記憶領域の属性情報を前記管理コンソールに送信する手段を有することを特徴とする記憶装置。
【請求項１９】
請求項１８記載の記憶装置であって、
前記記憶装置には複数のストレージプールが設定されており、
前記記憶装置はストレージプールごとにプール領域管理情報を有しており、
前記コントローラは、
前記管理コンソールから該管理コンソールで実行されるプログラムの識別情報を受信する手段と、
受信した識別情報に対応するプール領域管理情報に基づいて、該プール領域管理情報に対応するストレージプールの属性情報を前記管理コンソールに送信する手段と、
前記管理コンソールから前記属性情報に基づいた設定情報を受信すると、受信した設定条件に基づいて前記ストレージプールに論理的な記憶領域を設定する手段とを有することを特徴とする記憶装置。